(57)【要約】      （修正有）【課題】細長板状の押さえ部材に形成された幅寸法を有する面部により、広範囲にシートを保持して安定して複数枚数のシートを押さえることができ、また、安定した操作により確実に固定することができ、強度及び耐久性を有するファイル用綴じ具を提供する。【解決手段】細長板状の基板の幅方向に沿って立設された一対の係合突起部１２を長さ方向に複数有する受け部材１３と、細長板状に形成され、上記係合突起部に係合しうる複数の係止部１４が設けられた押さえ部材１５とを有し、上記受け部材と上記押さえ部材との間に複数枚数のシートを綴じうるファイル用綴じ具であって、上記係止部が上記係合突起部に係止された場合に、上記押さえ部材の一方の面部により複数枚数のシートを押さえうるように構成する。【選択図】図５
0003146605.tif 000002
【実用新案登録請求の範囲】
【請求項１】
細長板状の基板の幅方向に沿って立設された一対の係合突起部を長さ方向に複数有する受け部材と、細長板状に形成され、上記係合突起部に係合しうる複数の係止部が設けられた押さえ部材とを有し、上記受け部材と上記押さえ部材との間に複数枚数のシートを綴じうるファイル用綴じ具であって、
上記係止部が上記係合突起部に係止された場合に、上記押さえ部材の一方の面部により複数枚数のシートを押さえうることを特徴とするファイル用綴じ具。
【請求項２】
上記一対の係合突起部は断面略コ字状に形成され、上記基板に固定された基部と、上記基部の両端部に立設された互いに対向する対向片部とを有し、
上記係止部は、上記押さえ部材の長さ方向に沿って複数設けられた開孔部から成り、上記開孔部内には上記一対の係合突起部が係止する棒状係止部が設けられており、
上記棒状係止部が上記互いに対向する対向片部の間に係止されることにより複数枚数のシートを押さえうることを特徴とする請求項１記載のファイル用綴じ具。
【請求項３】
上記開孔部は、上記押さえ部材の長さ方向に沿って形成された平面長方形状から成り、上記棒状係止部は上記開孔部の幅方向中央部において長さ方向に沿って配置され、上記棒状係止部により画成される一対の空隙部内に上記一対の係合突起部が挿入されることにより上記棒状係止部に係合することを特徴とする請求項２記載のファイル用綴じ具。
【請求項４】
上記棒状係止部は、上記一対の係合突起部の間の間隔寸法と同一に形成された細幅部と、上記細幅部に連設された太幅部とを有し、
上記一対の空隙部の上記細幅部に対応する部位においては、上記一対の係合突起部を上記押さえ部材の厚さ方向に沿って挿入配置しうるように構成されていることを特徴とする請求項３記載のファイル用綴じ具。
【請求項５】
上記細幅部と上記太幅部との間にはテーパ部が形成され、上記細幅部において挿入された上記一対の係合突起部を上記押さえ部材を長さ方向にスライドさせることにより、相対的に、上記テーパ部を介して上記太幅部へ移動させることにより上記一対の係合突起部を拡開させて、上記一対の空隙部の長さ方向内側面部に押圧させることにより係合させて、上記押さえ部材を上記受け部材に固定させることを特徴とする請求項４記載のファイル用綴じ具。
【考案の詳細な説明】
【技術分野】
【０００１】
本考案は、ファイル用綴じ具に係り、特に、板状の押さえ部材に形成された面部により、安定して複数枚数のシートを押さえうるファイル用綴じ具に関する。
【背景技術】
【０００２】
従来から、複数枚数の紙等のシートを綴じることができるファイル用綴じ具が様々提案されている。
例えば、特許文献１には、基板から立設された複数の断面コ字形の係合部を有する受け部材と、上記係合部に係合しうる複数の係止部が設けられた棒形状の押さえ部材とを有するファイル用綴じ具に関する技術が提案されている。
しかしながら、特許文献１に記載されている技術においては、押さえ部材は棒形状であることから、紙に当接しうる押さえ面の形状が細幅の線状であるため、複数枚数のシートを押さえる場合に、安定してシートを押さえられない可能性を有する。
また、押さえ部材は細幅の棒形状であるため、安定した着脱操作ができず、確実に固定されたのかが分かり難いことから、取り扱い難い。また、強度や繰り返し使用時においては耐久性に優れておらず破損する可能性を有している。
また、特許文献１の他の実施例や特許文献２には、基板から立設された複数のピン形状の突部を有する受け部材と、上記突部に係合しうる複数の孔部を有する係止部が設けられた細長板形状の押さえ部材とを有するファイル用綴じ具に関する技術が提案されている。
特許文献１及び２に記載されている技術においては、細長板形状の押さえ部材の面部により、押さえ部材の幅寸法により形成された広範囲でシートを押さえることが可能である。
しかしながら、受け部材に設けられたピン形状の突部を上記孔部に挿入しなければならず、上記突部と上記孔部との位置合わせが煩雑であると共に、ピン形状の突部の強度や耐久性に問題を有し、シートを押さえる場合の安定性を損なう可能性を有している。
【０００３】
【特許文献１】特再２００４−９６５７５号
【特許文献２】実開平１−１７８９８７号
【考案の開示】
【考案が解決しようとする課題】
【０００４】
本考案は、細長板状の押さえ部材に形成された幅寸法を有する面部により、広範囲にシートを保持して安定して複数枚数のシートを押さえることができ、また、安定した操作により確実に固定することができ、強度及び耐久性を有するファイル用綴じ具を提供することを目的とする。
【課題を解決するための手段】
【０００５】
上記課題を解決するために、請求項１記載の考案にあっては、細長板状の基板の幅方向に沿って立設された一対の係合突起部を長さ方向に複数有する受け部材と、細長板状に形成され、上記係合突起部に係合しうる複数の係止部が設けられた押さえ部材とを有し、上記受け部材と上記押さえ部材との間に複数枚数のシートを綴じうるファイル用綴じ具であって、上記係止部が上記係合突起部に係止された場合に、上記押さえ部材の一方の面部により複数枚数のシートを押さえうることを特徴とする。
従って、上記係止部が上記係合突起部に係止された場合に、上記押さえ部材の一方の面部により複数枚数のシートを押さえうるので、細長板状の押さえ部材の一方の面部により広範囲にシートを保持することができる。
【０００６】
請求項２記載の考案にあっては、上記一対の係合突起部は断面略コ字状に形成され、上記基板に固定された基部と、上記基部の両端部に立設された互いに対向する対向片部とを有し、上記係止部は、上記押さえ部材の長さ方向に沿って複数設けられた開孔部から成り、上記開孔部内には上記一対の係合突起部が係止する棒状係止部が設けられており、上記棒状係止部が上記互いに対向する対向片部の間に係止されることにより複数枚数のシートを押さえうることを特徴とする。
従って、上記一対の係合突起部は断面略コ字状に形成され、上記基板に固定された基部と、上記基部の両端部に立設された互いに対向する対向片部とを有し、上記係止部は、上記押さえ部材の長さ方向に沿って複数設けられた開孔部から成り、上記開孔部内には上記一対の係合突起部が係止する棒状係止部が設けられているので、上記棒状係止部が上記互いに対向する対向片部の間に係止された場合に、上記押さえ部材の一方の面部により、強固に複数枚数のシートを押さえることができる。
【０００７】
請求項３記載の考案にあっては、上記開孔部は、上記押さえ部材の長さ方向に沿って形成された平面長方形状から成り、上記棒状係止部は上記開孔部の幅方向中央部において長さ方向に沿って配置され、上記棒状係止部により画成される一対の空隙部内に上記一対の係合突起部が挿入されることにより上記棒状係止部に係合することを特徴とする。
従って、上記棒状係止部により画成される一対の空隙部内に上記一対の係合突起部が挿入されることにより上記一対の係合突起部が上記棒状係止部に係合するので、上記開孔部内の上記棒状係止部に上記一対の係合突起部を容易に係合させることができる。
【０００８】
請求項４記載の考案にあっては、上記棒状係止部は、上記一対の係合突起部の間の間隔寸法と同一に形成された細幅部と、上記細幅部に連設された太幅部とを有し、上記一対の空隙部の上記細幅部に対応する部位においては、上記一対の係合突起部を上記押さえ部材の厚さ方向に沿って挿入配置しうるように構成されていることを特徴とする。
従って、上記一対の空隙部の上記細幅部に対応する部位においては、上記一対の係合突起部を上記押さえ部材の厚さ方向に沿って挿入配置しうるように構成されているので、上記細幅部を上記一対の係合突起部に挿入配置することにより上記開孔部内の上記棒状係止部に上記一対の係合突起部を容易に係合させることができる。
【０００９】
請求項５記載の考案にあっては、上記細幅部と上記太幅部との間にはテーパ部が形成され、上記細幅部において挿入された上記一対の係合突起部を上記押さえ部材を長さ方向にスライドさせることにより、相対的に、上記テーパ部を介して上記太幅部へ移動させることにより上記一対の係合突起部を拡開させて、上記一対の空隙部の長さ方向内側面部に押圧させることにより係合させて、上記押さえ部材を上記受け部材に固定させることを特徴とする。
従って、上記細幅部と上記太幅部との間にはテーパ部が形成され、上記細幅部において挿入された上記一対の係合突起部を上記押さえ部材を長さ方向にスライドさせることにより、相対的に、上記テーパ部を介して上記太幅部へ移動させることにより上記一対の係合突起部を拡開させて、上記一対の空隙部の長さ方向内側面部に押圧させることにより係合させて、上記押さえ部材を上記受け部材に固定させることができるので、安定した操作により確実に上記押さえ部材を上記受け部材に強固に固定させることができる。
【考案の効果】
【００１０】
請求項１記載の考案にあっては、上記係止部が上記係合突起部に係止された場合に、上記押さえ部材の一方の面部により複数枚数のシートを押さえうるので、細長板状の押さえ部材の一方の面部により広範囲にシートを保持することができることから、広範囲にシートを保持して安定して複数枚数のシートを押さえることができるファイル用綴じ具を提供することができる。
また、従来のように、押さえ部材が細幅の棒形状により構成されておらず、受け部材が基板から立設されたピン形状の突部により構成されていないことから、安定した操作で確実に固定することができるファイル用綴じ具を提供することができる。
また、押さえ部材は細長板状に形成されており幅寸法を有することから強度及び耐久性を有するファイル用綴じ具を提供することができる。
【００１１】
請求項２記載の考案にあっては、上記一対の係合突起部は断面略コ字状に形成され、上記基板に固定された基部と、上記基部の両端部に立設された互いに対向する対向片部とを有し、上記係止部は、上記押さえ部材の長さ方向に沿って複数設けられた開孔部から成り、上記開孔部内には上記一対の係合突起部が係止する棒状係止部が設けられているので、上記棒状係止部が上記互いに対向する対向片部の間に係止された場合に、上記押さえ部材の一方の面部により強固に複数枚数のシートを押さえることができることから、複数枚数のシートを強固に安定して確実に押さえることができるファイル用綴じ具を提供することができる。
【００１２】
請求項３記載の考案にあっては、上記棒状係止部により画成される一対の空隙部内に上記一対の係合突起部が挿入されることにより上記一対の係合突起部が上記棒状係止部に係合するので、上記開孔部内の上記棒状係止部に上記一対の係合突起部を容易に係合させることができることから、安定した操作で確実かつ容易に固定することができるファイル用綴じ具を提供することができる。
【００１３】
請求項４記載の考案にあっては、上記一対の空隙部の上記細幅部に対応する部位においては、上記一対の係合突起部を上記押さえ部材の厚さ方向に沿って挿入配置しうるように構成されているので、上記細幅部を上記一対の係合突起部に容易に挿入配置することにより上記開孔部内の上記棒状係止部に上記一対の係合突起部を容易に係合させることができることから、安定した操作で確実かつ容易に固定することができるファイル用綴じ具を提供することができる。
【００１４】
請求項５記載の考案にあっては、上記細幅部と上記太幅部との間にはテーパ部が形成され、上記細幅部において挿入された上記一対の係合突起部を上記押さえ部材を長さ方向にスライドさせることにより、相対的に、上記テーパ部を介して上記太幅部へ移動させることにより上記一対の係合突起部を拡開させて、上記一対の空隙部の長さ方向内側面部に押圧させることにより係合させて、上記押さえ部材を上記受け部材に固定させることができるので、安定した操作により確実に上記押さえ部材を上記受け部材に強固に固定させることができることから、安定した操作で確実かつ強固に固定することができるファイル用綴じ具を提供することができる。
【考案を実施するための最良の形態】
【００１５】
以下、図面を用いて本考案の実施の形態について説明する。
図７に示すように、本実施の形態に係るファイル用綴じ具１０は、図１に示すように、細長板状の基板１１の幅方向に沿って立設された一対の係合突起部１２を長さ方向に複数有する受け部材１３と、図２に示すように、細長板状に形成され、図１に示すような上記係合突起部１２に係合しうる複数の係止部１４が設けられた押さえ部材１５とを有し、図７に示すように、上記受け部材１３と上記押さえ部材１５との間に複数枚数のシートＳを綴じうるファイル用綴じ具１０であって、図５に示すように、上記係止部１４が上記係合突起部１２に係止された場合に、上記押さえ部材１５の一方の面部１６により、図７に示すように、複数枚数のシートＳを押さえうるように構成されている。
また、図１（ｄ）に示すように、上記一対の係合突起部１２は断面略コ字状に形成され、上記基板１１に固定された基部１７と、上記基部１７の両端部に立設された互いに対向する対向片部１８，１８とを有し、図２に示すように、上記係止部１４は、上記押さえ部材１５の長さ方向に沿って複数設けられた開孔部１９から成り、上記開孔部１９内には図１に示すような上記一対の係合突起部１２が係止する棒状係止部２０が設けられており、上記棒状係止部２０が図１に示すような上記互いに対向する対向片部１８，１８の間に係止されることにより図７に示すように複数枚数のシートＳを押さえうるように構成されている。
【００１６】
また、図２に示すように、上記開孔部１９は、上記押さえ部材１５の長さ方向に沿って形成された平面長方形状から成り、上記棒状係止部２０は上記開孔部１９の幅方向中央部において長さ方向に沿って配置され、上記棒状係止部２０により画成される一対の空隙部２１，２１内に図１に示すような上記一対の係合突起部１２が挿入されることにより、図５に示すように、上記棒状係止部２０に係合するように構成されている。
また、図２及び図３に示すように、上記棒状係止部２０は、図１に示すような上記一対の係合突起部１２の間の間隔寸法と同一に形成された細幅部２２と、上記細幅部２２に連設された太幅部２３とを有し、上記一対の空隙部２１，２１の上記細幅部２２に対応する部位２１ａ，２１ａにおいては、図１に示すような上記一対の係合突起部１２を上記押さえ部材１５の厚さ方向に沿って挿入配置しうるように構成されている。
また、図４及び図５に示すように、上記細幅部２２と上記太幅部２３との間にはテーパ部２４，２４が形成され、図４に示すような上記細幅部２２において挿入された上記一対の係合突起部１２を上記押さえ部材１５を長さ方向にスライドさせることにより、図５に示すように、相対的に、上記テーパ部２４，２４を介して上記太幅部２３へ移動させることにより上記一対の係合突起部１２を拡開させて、上記一対の空隙部２１，２１の長さ方向内側面部２５，２５に押圧させることにより係合させて、上記押さえ部材１５を上記受け部材１３に固定させるように構成されている。
【実施例】
【００１７】
以下に、図面を用いて本実施例について詳細を説明する。
図７に示すように、本実施例に係るファイル用綴じ具１０を適用したファイル２６を例に説明する。
図７に示すように、上記ファイル２６は、見開き状態において、平板長方形状の表紙２７と、上記表紙２７と同一寸法形状からなる裏表紙２８と、上記表紙２７及び上記裏表紙２８の夫々の幅方向端部に沿って接合された細長板状の背表紙２９とにより構成された全体平板長方形状の合成樹脂材料により形成された図８（ａ）に示すような台紙３０に、ファイル用綴じ具１０を適用することにより複数枚数のシートＳを綴じうるように構成されている。
また、図８（ｂ）に示すように、シートＳは、見開き状態において、全体長方形状の薄厚状に形成され、上記台紙３０の表紙２７より小さいシートＳ１と、上記シートＳ１と同一寸法形状からなると共に上記背表紙２９より小さいシートＳ２と、上記シートＳ１及び上記シートＳ２の間に配置され、夫々の幅方向端部に連設された細長シートＳ３により形成され、上記細長シートＳ３の幅方向中央部には所定間隔寸法をおいて長さ方向略全域に列状に７個の円形状のシート孔部３２が設けられている。
そして、図９に示すように、本実施例に係るファイル用綴じ具１０は、上記台紙３０の背表紙２９に本実施例に係るファイル用綴じ具１０を取り付けることにより、図７に示すように、上記台紙３０上に複数のシートＳを綴じうるように構成されている。
【００１８】
本実施例に係るファイル用綴じ具１０は、合成樹脂材料により形成され、図１に示すように、直線状に形成された細長板状の基板１１の幅方向に沿って立設された一対の係合突起部１２を所定間隔寸法をおいて長さ方向に沿って７個有する受け部材１３と、図２に示すように、所定の厚さ寸法を有する断面略長方形状の直線状の細長板状に形成され、図１に示すような上記係合突起部１２に係合しうる所定間隔寸法をおいて長さ方向に沿って７個の係止部１４が設けられた押さえ部材１５とにより構成されている。
また、図９に示すように、上記７個の一対の係合突起部１２は、上記台紙３０上に上記複数のシートＳを綴じ込む際に、上記７個のシート孔部３２の夫々が挿通しうる間隔寸法をおいて配置されており、上記一対の係合突起部１２の平面大きさ寸法は、上記一対の係合突起部１２を上記シート孔部３２に挿通しうるように、上記シート孔部３２より小さい大きさ寸法に形成されている。
また、上記一対の係合突起部１２は、図１（ｄ）に示すように、断面略コ字状に形成され、上記基板１１に立設されて固定された方形板状の基部１７と、上記基部１７の両端部に立設された互いに平行に対向する対向片部１８，１８とを有している。
また、図１に示すように、上記基部１７は上記押さえ部材１５の長さ方向に沿って立設され、上記基部１７の上面部には、上記受け部材１３に上記押さえ部材１５を固定した場合に、上記押さえ部材１５の係止部１４と当接する長方形状の当接面部３３が形成されている。
また、図１（ｄ）に示すように、上記対向片部１８，１８の先端部には、互いに内方に略直角に屈曲して対向する鉤部３４，３４が形成されている。
また、上記対向する鉤部３４，３４の間には、上記対向する鉤部３４，３４の先端部間に形成される細幅線状の開口部３５が形成され、上記開口部３５は上記当接面部３３の幅寸法と略同一の間隔寸法を以って上記当接面部３３の上方に配置されている。
また、上記鉤部３４，３４の上面部の上記開口部３５の開口縁に沿って夫々内方に傾斜する傾斜面部３６，３６が形成され、上記鉤部３４，３４の下面には  上記対向片部１８，１８の内側面部に対しての角度αが８７度をもって上記傾斜面部３６，３６の下端部に延設される内方へ緩やかに傾斜する下面部３９，３９が形成されている。
また、図１（ｂ）及び（ｃ）に示すように、上記受け部材１３の基板部１１の下面には、超音波溶着により溶融させて上記台紙の背表紙２９に溶着固定しうる複数の凸部から形成される溶着凸部３１が所定間隔寸法をおいて形成されている。
【００１９】
また、図２に示すように、上記係止部１４は、上記押さえ部材１５の長さ方向に沿って形成された平面長方形状の７個の開孔部１９から成り、上記開孔部１９内には上記一対の係合突起部１２が係止する棒状係止部２０が設けられている。
また、上記棒状係止部２０は上記開孔部１９の幅方向中央部において長さ方向に沿って配置され、上記棒状係止部２０により上記開孔部１９には一対の空隙部２１，２１が幅方向中央部に対して対称に画成されている。
また、上記棒状係止部２０は、図２に示すように、上記一対の係合突起部１２の間の上記開口部３５の間隔寸法と略同一に形成された細幅部２２と、上記細幅部２２に連設された太幅部２３とを有し、上記一対の空隙部２１，２１の上記細幅部２２に対応する部位２１ａ，２１ａにおいては、上記一対の係合突起部１２を上記押さえ部材１５の厚さ方向に沿って挿入配置しうるように構成されている。
また、図４及び図５に示すように、上記細幅部２２と上記太幅部２３との間には上記細幅部２２から上記太幅部２３に至るに従って幅寸法が大きくなるテーパ部２４，２４が形成されている。
また、上記棒状係止部２０は、図３に示すように、厚さ方向中央部において幅方向両側に夫々突出する長さ方向全域に形成された方形板状の突部４０，４０，４１，４１により断面十字形状に形成されており、図３（ｂ）に示すように、上記細幅部２２には、上記一対の係合突起部１２の鉤部３４，３４の傾斜面部３６，３６に当接して上記一対の対向片部１８，１８の間隔寸法を拡げて挿入しうると共に、挿入後には、上記鉤部３４，３４の下面部３９，３９の先端部に係止されうる小突部４０，４０が形成され、図３（ａ）に示すように、上記太幅部２３は、上記小突部４０，４０が形成された上記細幅部２２より大きい幅寸法を有し、上記太幅部２３には、図１（ｄ）に示すような上記互いに対向する対向片部１８，１８の間の間隔寸法と略同一の幅寸法を有すると共に上記鉤部３４，３４の下面部３９，３９の全域に当接して上記一対の係合突起部１２を拡開させうる大突部４１，４１が形成されている。
また、上記テーパ部２４，２４は、上記開孔部１９の長さ方向中央部において、上記小突部４０，４０から上記大突部４１，４１に至るに従って幅寸法が大きくなるテーパ状に形成されている。
【００２０】
また、図３に示すように、上記棒状係止部２０の上下面部には、上記当接面部３３に当接して上記棒状係止部２０を長さ方向にスライドしうるスライド面部３７ａ，３７ｂが形成されている。
そして、図４に示すような上記細幅部２２において挿入された上記一対の係合突起部１２の上記当接面部３３に上記スライド面部３７ａ又は３７ｂを当接させて長さ方向にスライドさせることにより、相対的に、上記テーパ部２４，２４を介して上記太幅部２３へ移動させることにより上記一対の係合突起部１２を拡開させて、上記一対の空隙部２１，２１の長さ方向内側面部２５，２５に押圧させることにより係合させるように構成されている。
また、図３に示すように、一方の上記スライド面部３７ａは上記押さえ部材１５の一方の面部１６の一般面に沿って形成され、他方の上記スライド面部３７ｂは上記押さえ部材１５の他方の面部３８の一般面より内方の部位に沿って形成されている。
このように構成されることにより、図６に示すように、上記押さえ部材１５の表裏の変更により、上記受け部材１３に上記押さえ部材１５が固定された場合に、上記一対の係合突起部１２の上記当接面部３３には上記スライド面部３７ａ又は３７ｂが当接することから、上記受け部材１３と上記押さえ部材１５との間の間隔寸法Ｌ１，Ｌ２を変更できるように構成されている。
【００２１】
また、図２（ｃ）に示すように、上記押さえ部材１５の長さ方向中央部に配置される係止部１４より細幅部２２側の上記押さえ部材１５の一方の面部１６には、上記細幅部２２において挿入された上記一対の係合突起部１２を上記細幅部２２から上記太幅部２３側へスライドしうるスライド方向を表示する矢印表示からなるスライド表示部４２が表示され、図６（ａ）に示すような上記押さえ部材１５を上記受け部材１３に固定させた場合に上記受け部材１３と上記押さえ部材１５との間隔寸法Ｌ１を視認しうるＬＯＷの表示からなる厚さ表示部４３が表示されている。
また、図２（ａ）に示すように、上記押さえ部材１５の長さ方向中央部に配置される上記係止部１４より太幅部２３側の上記押さえ部材１５の他方の面部３８には、上記細幅部２２において挿入された上記一対の係合突起部１２を上記細幅部２２から上記太幅部２３側へスライドしうるスライド方向を表示する矢印表示からなるスライド表示部４４が表示され、図６（ｂ）に示すような上記押さえ部材１５を上記受け部材１３に固定させた場合に上記受け部材１３と上記押さえ部材１５との間隔寸法Ｌ２を視認しうるＨＩＧＨの表示からなる厚さ表示部４４が表示されている。
【００２２】
以下、本実施例の作用について図面を用いて説明する。
本実施例に係るファイル用綴じ具１０により、シートをファイルに綴じ込む方法について説明する。
まず、図８（ａ）に示すような台紙３０の背表紙２９上に、図１に示すような受け部材１３を載置して、背表紙２９の表面側からの超音波溶着により、上記受け部材１３の基板１１の下面に形成された複数の凸部から形成される溶着凸部３１と上記背表紙２９を溶融させて、上記背表紙２９上に上記受け部材１３を溶着固定する。
そして、図９に示すように、複数枚数のシートＳに形成された７個のシート孔部３２を上記受け部材１３に形成された７個の一対の係合突起部１２に挿通させることにより、上記台紙３０上に複数枚数のシートＳを載置する。
その後、上記受け部材１３に押さえ部材１５を固定することにより、図７に示すように、上記受け部材１３と上記押さえ部材１５との間に複数枚数のシートＳを綴じることができる。
【００２３】
上記受け部材１３に押さえ部材１５を固定する場合、図１に示すような受け部材１３に形成された７個の夫々の一対の係合突起部１２に、図２に示すような押さえ部材１５に形成された７個の係止部１４を係止させる。
具体的には、まず、上記受け部材１３の上面側から上記押さえ部材１５が重なるように配置し、図４に示すように、上記一対の係合突起部１２を上記係止部１４に形成された一対の空隙部２１，２１の細幅部２２に対応する部位２１ａ，２１ａにおいて、上記一対の係合突起部１２を上記押さえ部材１５の厚さ方向に沿って挿入配置する。
この場合、上記細幅部２２には、上記一対の係合突起部１２の鉤部３４，３４に形成された傾斜面部３６，３６に当接して一対の対向片部１８，１８の間隔寸法を拡げて挿入しうることから、上記傾斜面部３６，３６に当接してスムーズに挿入でき、挿入後においては、上記一対の係合突起部１２は合成樹脂材料により形成されているので、上記一対の対向片部１８，１８の間隔寸法が挿入前の状態に戻り、上記小突部４０，４０が上記鉤部３４，３４の下面部３９，３９の先端部に係止されることから、上記一対の対向片部１８，１８の間に配置された上記細幅部２２は上記一対の対向片部１８，１８から外れ難いように配置される。
また、この配置において、上記鉤部３４，３４の下面部３９，３９の先端部が上記小突部４０，４０に係止されているが、上記鉤部３４，３４の先端部への係止のみであることから、押さえ部材１５に上方への力を作用させることにより、上記受け部材１３から押さえ部材１５を容易に取り外すことができる。
【００２４】
その後、図４に示すような上記細幅部２２において挿入された上記一対の係合突起部１２を押さえ部材１５をスライド表示部４４の矢印方向が表示された長さ方向にスライドさせることにより、図５に示すように、相対的に、テーパ部２４，２４を介して上記太幅部２３へ移動させる。
この場合、上記一対の係合突起部１２の当接面部３３が棒状係止部２０のスライド面部３７ｂに当接して上記棒状係止部２０を長さ方向に容易にスライドさせることができ、上記鉤部３４，３４により上記棒状係止部２０が係止されていることから、上記細幅部２２の小突部４０，４０が上記鉤部３４，３４の下面部３９，３９の先端部に係止された状態から、上記太幅部２３の大突部４１，４１が上記鉤部３４，３４の下面部３９，３９の全域に当接する状態への移動が容易である。
また、上記細幅部２２と上記太幅部２３との間には上記テーパ部２４，２４が形成されていることから、上記一対の係合突起部１２を上記細幅部２２から上記太幅部２３へ移動させることが容易である。
また、上記鉤部３４，３４の下面には、上記対向片部１８，１８の内側面部に対して８７度の角度αをもって上記傾斜面部３６，３６の下端部に延設される内方へ緩やかに傾斜する下面部３９，３９が形成されていることから、上記一対の係合突起部１２を上記太幅部２３へ移動させることにより、上記一対の係合突起部１２を拡開させて、上記一対の空隙部２１，２１の長さ方向内側面部２５，２５に押圧させることにより係合させることができる。
このように、上記押さえ部材１５を上記受け部材１３に固定することにより、上記押さえ部材１５の一方の面部１６により複数枚数のシートＳを押さえうるので、細長板状の押さえ部材１５の一方の面部１６により広範囲にシートＳを保持することができることから、広範囲にシートＳを保持して安定して複数枚数のシートＳを押さえることができるファイル用綴じ具１０を提供することができる。
また、上記棒状係止部２０が上記互いに対向する対向片部１８，１８の間に係止された場合に、上記押さえ部材１５の一方の面部１６により、強固に複数枚数のシートＳを押さえることができることから、複数枚数のシートＳを強固に安定して確実に押さえることができるファイル用綴じ具１０を提供することができる。
また、上記一対の係合突起部１２を拡開させて、上記一対の空隙部２１，２１の長さ方向内側面部２５，２５に押圧させることにより係合させて、上記押さえ部材１５を上記受け部材１２に固定させることができるので、安定した操作により確実に上記押さえ部材１５を上記受け部材１３に強固に固定させることができることから、安定した操作で確実かつ強固に固定することができるファイル用綴じ具１０を提供することができる。
また、上記細幅部２２を上記一対の係合突起部１２に容易に挿入配置することにより上記開孔部１９内の上記棒状係止部２０に上記一対の係合突起部１２を容易に係合させることができることから、安定した操作で確実かつ容易に固定することができるファイル用綴じ具１０を提供することができる。
また、従来のように、押さえ部材１５が細幅の棒形状により構成されておらず、受け部材１３が基板から立設されたピン形状の突部により構成されていないことから、安定した操作で確実に固定することができるファイル用綴じ具１０を提供することができる。
また、押さえ部材１５は細長板状に形成されており幅寸法を有することから、強度及び耐久性を有するファイル用綴じ具１０を提供することができる。
【００２５】
次に、上記受け部材１３に固定された上記押さえ部材１５を取り外す方法について説明する。
まず、図５に示すような固定状態から、上記押さえ部材１５をスライド表示部４４の矢印表示方向と逆方向へスライドさせて、上記一対の係合突起部１２に係合している上記太幅部２３を、図４に示すように、上記一対の係合突起部１２により細幅部２２に係止されている状態へ移動させる。
この配置においては、上記鉤部３４，３４の下面部３９，３９の先端部が上記小突部４０，４０に係止されているが、上記鉤部３４，３４の先端部への係止のみであることから、押さえ部材１５に上方への力を作用させることにより、上記受け部材１３から押さえ部材１５を容易に取り外すことができる。
従って、上記押さえ部材１５に対して上方へ力を作用させることにより、上記受け部材１３から上記押さえ部材１５を取り外す。
また、この場合、押さえ部材１５は細長板状に形成されており幅寸法を有することから、取り外す場合においても、安定した操作で容易に取り外すことができ、損傷し難く、強度及び耐久性を有するファイル用綴じ具１０を提供することができる。
【００２６】
ここで、本実施例に係るファイル用綴じ具１０においては、上記押さえ部材１５の表裏の変更により、上記受け部材１３と上記押さえ部材１５との間の間隔寸法を変更できるように構成されている。
図６（ａ）及び（ｂ）に示すように、一対の係合突起部１２に太幅部２３を係合させて上記押さえ部材１５が上記受け部材１３に固定されている場合を例に説明する。
ここで、上記押さえ部材１５を上記受け部材１３に固定する方法、取り外す方法については、上記説明内容と同様であるため省略する。
図３に示すように、棒状係止部２０の上下面部に形成された一方の上記スライド面部３７ａは上記押さえ部材１５の一方の面部１６の一般面に沿って形成され、他方の上記スライド面部３７ｂは上記押さえ部材１５の他方の面部３８の一般面より内方の部位に沿って形成されていることから、図６（ａ）に示すような当接面部３３に一方のスライド面部３７ａが当接する状態で固定された場合の間隔寸法Ｌ１は、図６（ｂ）に示すような当接面部３３に他方のスライド面部３７ｂが当接する状態で固定された場合の間隔寸法Ｌ２より小さい間隔寸法である。
このように、上記押さえ部材１５の表裏の変更により、上記当接面部３３へ当接させるスライド面部３７ａ，３７ｂを変更して、上記受け部材１３と上記押さえ部材１５との間の間隔寸法を変更できることから、上記受け部材１３と上記押さえ部材１５との間に綴じうるシートの枚数を変更することができる。
この場合、上記受け部材１３と上記押さえ部材１５との間の間隔寸法が間隔寸法Ｌ１の場合には、上記押さえ部材１５の上面には、図２（ｃ）に示すようなＬＯＷの表示が表示され、間隔寸法Ｌ２の場合には、図２（ａ）に示すようなＨＩＧＨの表示が表示されるように構成されていることから、上記受け部材１３と上記押さえ部材１５との間に綴じうるシートの厚さ寸法を外部から視認するように表示される。
【産業上の利用可能性】
【００２７】
本考案は、ファイル用綴じ具に係り、特に、板状の押さえ部材に形成された面部により、安定して複数枚数のシートを押さえうるファイル用綴じ具に適用することができる。
【図面の簡単な説明】
【００２８】
【図１】本考案に係るファイル用綴じ具の一実施の形態を示し、受け部材の（ａ）は平面図、（ｂ）は側面図、（ｃ）は裏面図、（ｄ）は図１（ａ）のＡ−Ａ線断面図である。
【図２】本考案に係るファイル用綴じ具の一実施の形態を示し、押さえ部材の（ａ）は平面図、（ｂ）は側面図、（ｃ）は図２（ｂ）のＤ矢示図である。
【図３】本考案に係るファイル用綴じ具の一実施の形態を示し、押さえ部材の（ａ）は図２のＢ−Ｂ線断面図、（ｂ）は図２のＣ−Ｃ線断面図である。
【図４】本考案に係るファイル用綴じ具の一実施の形態を示し、受け部材に押さえ部材を組み合わせた状態のスライド前の（ａ）は側面図、（ｂ）は平面図、（ｃ）は図４（ａ）のＥ−Ｅ線断面図である。
【図５】本考案に係るファイル用綴じ具の一実施の形態を示し、押さえ部材をスライドさせて受け部材に押さえ部材を固定させた場合の（ａ）は側面図、（ｂ）は平面図、（ｃ）は図４（ａ）のＦ−Ｆ線断面図である。
【図６】本考案に係るファイル用綴じ具の一実施の形態を示し、受け部材に押さえ部材を固定させた場合の、（ａ）及び（ｂ）は受け部材と押さえ部材の間の間隔寸法が異なる場合を示す係合部の断面図である。
【図７】本考案に係るファイル用綴じ具の一実施の形態を示し、ファイルに適用した場合の図である。
【図８】（ａ）は本考案に係るファイル用綴じ具に適用する台紙を示す図であり、（ｂ）は本考案に係るファイル用綴じ具を使用して綴じうるシートを示す図である。
【図９】本考案に係るファイル用綴じ具の一実施の形態を示し、台紙及びシートを受け部材上に載置した図である。
【符号の説明】
【００２９】
１０    ファイル用綴じ具
１１    基板
１２    係合突起部
１３    受け部材
１４    係止部
１５    押さえ部材
１６    一方の面部
１７    基部
１８    対向片部
１９    開孔部
２０    棒状係止部
２１    空隙部
２２    細幅部
２３    太幅部
２４    テーパ部
２５    空隙部の長さ方向内側面部
２６    ファイル
２７    表紙
２８    裏表紙
２９    背表紙
３０    台紙
３１    溶着凸部
３２    シート孔部
３３    当接面部
３４    鉤部
３５    開口部
３６    傾斜面部
３７ａ  スライド面部
３７ｂ  スライド面部
３８    他方の面部
３９    下面部
４０    小突部
４１    大突部
４２    スライド表示部
４３    高さ表示部
４４    スライド表示部
４５    高さ表示部
Ｓ    シート
Ｓ１  シート
Ｓ２  シート
Ｓ３  シート
Ｌ１  間隔寸法
Ｌ２  間隔寸法
α    角度
【図１】
0003146605.tif 000003
【図２】
0003146605.tif 000004
【図３】
0003146605.tif 000005
【図４】
0003146605.tif 000006
【図５】
0003146605.tif 000007
【図６】
0003146605.tif 000008
【図７】
0003146605.tif 000009
【図８】
0003146605.tif 000010
【図９】
0003146605.tif 000011